(57)【要約】【課題】複数種類の設定プログラムを用意しておきその中からユーザが選択する必要もなく、ホテル等の公共の宿泊施設に設置された場合の視聴環境を考慮して表示輝度や音量の制御を適宜行うことが可能な映像表示装置を提供する。【解決手段】液晶ＴＶ１等の映像表示装置は、環境情報取得手段及び環境対応制御手段を備える。環境情報取得手段は、液晶ＴＶ１の設置場所の環境に関する環境情報を取得する。環境対応制御手段は、環境情報取得手段で取得した環境情報が示す環境に合わせ、音声出力手段における音量の制御（環境対応制御）及び／又は映像表示手段における表示輝度の制御（環境対応制御）を行う。環境情報取得手段は、外光明るさセンサ２２、外部騒音センサ２３、及びネットワーク通信回路等と、それらを制御して明るさ情報や騒音情報を取得させるシステム制御マイコン１９で構成できる。【選択図】図１
2007159046.tif 000002
【特許請求の範囲】
【請求項１】
映像を表示する映像表示手段と、音声を出力する音声出力手段とを備えた映像表示装置において、当該映像表示装置の設置場所の環境に関する環境情報を取得する環境情報取得手段と、該環境情報取得手段で取得した環境情報が示す環境に合わせ、前記音声出力手段における音量の制御を行う制御手段とを備えたことを特徴とする映像表示装置。
【請求項２】
前記環境情報取得手段で取得する環境情報は、夜間であるか否かを示す情報であり、前記制御手段は、前記環境情報取得手段で取得した環境情報が夜間であることを示していた場合、前記音声出力手段における音量を下げる又は音量の最大値を下げる制御を行うことを特徴とする請求項１に記載の映像表示装置。
【請求項３】
前記制御手段は、前記環境情報取得手段で取得した環境情報が示す環境に合わせ、前記映像表示手段における表示輝度の制御も併せて行うことを特徴とする請求項１又は２に記載の映像表示装置。
【請求項４】
前記環境情報取得手段で取得する環境情報は、夜間であるか否かを示す情報であり、前記制御手段は、前記環境情報取得手段で取得した環境情報が夜間であることを示していた場合、前記映像表示手段における表示輝度を下げる又は表示輝度の最大値を下げる制御を行うことを特徴とする請求項３に記載の映像表示装置。
【請求項５】
映像を表示する映像表示手段を備えた映像表示装置において、当該映像表示装置の設置場所の環境に関する環境情報を取得する環境情報取得手段と、該環境情報取得手段で取得した環境情報が示す環境に合わせ、前記映像表示手段における表示輝度の制御を行う制御手段とを備えたことを特徴とする映像表示装置。
【請求項６】
前記環境情報取得手段で取得する環境情報は、夜間であるか否かを示す情報であり、前記制御手段は、前記環境情報取得手段で取得した環境情報が夜間であることを示していた場合、前記映像表示手段における表示輝度を下げる又は表示輝度の最大値を下げる制御を行うことを特徴とする請求項５に記載の映像表示装置。
【請求項７】
前記環境情報取得手段は、外光の明るさを検出する明るさセンサを有することを特徴とする請求項１乃至６のいずれか１項に記載の映像表示装置。
【請求項８】
前記環境情報取得手段は、周囲の音を検出する音センサを有することを特徴とする請求項１乃至７のいずれか１項に記載の映像表示装置。
【請求項９】
前記環境情報取得手段は、時計を有することを特徴とする請求項１乃至８のいずれか１項に記載の映像表示装置。
【請求項１０】
前記環境情報取得手段は、ネットワークを介して当該映像表示装置に接続された外部機器から、当該映像表示装置の設置場所の代わりに前記外部機器の設置場所における環境情報を取得することを特徴とする請求項１乃至６のいずれか１項に記載の映像表示装置。
【請求項１１】
前記環境情報は、前記外部機器が示す時刻情報を含むことを特徴とする請求項１０に記載の映像表示装置。
【請求項１２】
前記外部機器は、外光の明るさを検出する明るさセンサを有し、前記環境情報は、前記明るさセンサで検出された外光の明るさの情報を含むことを特徴とする請求項１０又は１１に記載の映像表示装置。
【請求項１３】
前記外部機器は、周囲の音を検出する音センサを有し、前記環境情報は、前記音センサで検出された周囲の音の情報を含むことを特徴とする請求項１０乃至１２のいずれか１項に記載の映像表示装置。
【請求項１４】
タイマを備え、前記制御手段は、前記環境情報取得手段で前記環境情報が取得できない場合、前記タイマでの計時の結果、制御が実行されてから２４時間経過する毎に同じ制御を実行する手段を有することを特徴とする請求項１０乃至１３のいずれか１項に記載の映像表示装置。
【請求項１５】
前記環境情報取得手段は、前記環境情報が取得できない場合、前記外部機器に対してネットワーク経由で再送要求又はエラー送信を行う手段を有することを特徴とする請求項１０乃至１４のいずれか１項に記載の映像表示装置。
【請求項１６】
前記制御手段で実行する制御の目標値を設定する目標値設定手段と、該目標値設定手段で設定する目標値をネットワーク経由で前記外部機器から取得する目標値取得手段とを備えたことを特徴とする請求項１０乃至１５のいずれか１項に記載の映像表示装置。
【請求項１７】
前記目標値設定手段は、前記目標値取得手段で前記目標値の取得ができない場合、前記外部機器に対してネットワーク経由で再送要求又はエラー送信を行う手段を有することを特徴とする請求項１６に記載の映像表示装置。
【請求項１８】
前記制御手段での制御を実行させるか否かを設定する実行設定手段と、該実行設定手段での設定の内容を、ネットワーク経由で前記外部機器から取得する設定内容取得手段とを備えたことを特徴とする請求項１０乃至１７のいずれか１項に記載の映像表示装置。
【請求項１９】
前記制御手段で実行する制御の目標値をユーザ操作に基づき設定する目標値設定手段を備えたことを特徴とする請求項１乃至１５のいずれか１項に記載の映像表示装置。
【請求項２０】
前記制御手段での制御を実行させるか否かをユーザ操作に基づき設定する実行設定手段を備えたことを特徴とする請求項１乃至１５のいずれか１項に記載の映像表示装置。
【請求項２１】
デジタル放送を受信する放送受信手段を備え、前記環境情報取得手段は、前記放送受信手段で取得したデジタル放送に含まれる時刻情報を、前記環境情報として取得することを特徴とする請求項１乃至６のいずれか１項に記載の映像表示装置。
【請求項２２】
請求項１乃至２１のいずれか１項に記載の映像表示装置に組み込まれるプログラムであって、前記制御手段として、コンピュータを機能させることを特徴とするプログラム。
【発明の詳細な説明】
【技術分野】
【０００１】
本発明は、映像表示装置及びプログラムに関し、より詳細には、テレビジョン受像機や表示モニタ装置等の映像表示装置、及びその映像表示装置に組み込むためのプログラムに関する。
【背景技術】
【０００２】
従来から、映像表示装置において、待機時やユーザが使用していないときに省電力化を図るものがある。特許文献１には、バックライト点灯の一定時間経過後にバックライトを自動的に消灯させ省電力化を図る液晶表示装置が開示されている。
【０００３】
また、特許文献２には、ユーザの視聴時刻又は視聴環境（季節）に応じて、消費電力低減化を図る目的の複数種の設定プログラムの内蔵されたテレビジョン受像機（以下、ＴＶ受像機という）が開示されている。このテレビジョン受像機の制御マイコンには、ユーザの視聴時刻又は視聴環境（季節）に応じて消費電力低減化を図るための複数種の設定プログラムが記憶されている。この複数種の設定プログラムとは、ユーザの視聴時刻に応じて必要以上の輝度及び音量とならないように制限するためのプログラムであり、又はユーザの視聴季節に応じて必要以上の輝度及び音量とならないように制限するためのプログラムである。そして、リモコン等の操作手段によるユーザ操作によって設定プログラムが選択されると、制御マイコンは、この選択された設定プログラムに基づき、映像処理回路及び音声処理回路を制御する。
【特許文献１】特開平８−３２７９７６号公報
【特許文献２】特開２０００−１１５６４９号公報
【発明の開示】
【発明が解決しようとする課題】
【０００４】
一方、ホテルなど公共の宿泊施設において、液晶のＴＶ受像機で番組を視聴する場合、通常視聴時（部屋内が明るい時）にはそれに見合うバックライト輝度が必要であるが、複数で宿泊中の深夜の部屋内では、部屋の中の照明を落としているので、省電力化のためにも輝度は最小限でよい。このような場面で、ユーザが一々輝度を下げる操作をすることは面倒である。
【０００５】
また、ホテルに設置の場合に、そのＴＶ受像機の最大音量をそのまま出さずに、音量調整の最大値を下げて設定されることが多い。例えば、ＴＶ受像機のセット仕様で０〜６０まで目盛りがあるとして、ホテル設置時には、０〜４５までに制限するというようなものである。このとき、例えば音量メモリ４０という値にすると、通常視聴時には外の騒音もあるため適当な音量となるが、深夜時には大きすぎる場合がある。しかしながら、上限値を音量メモリ３５などにした場合は、昼間の外の騒音などもあり、その上限値（＝３５）に設定して視聴しようとした場合でも、上手く聞き取れないなどの問題が生じる。
【０００６】
このように、ＴＶ受像機等の映像表示装置は、その設置場所の環境（視聴環境）によって、バックライト等の表示輝度や音量の最適値が異なるものである。
【０００７】
しかしながら、特許文献２に記載のＴＶ受像機は、ホテルなどの公共の宿泊施設での使用を想定していないだけでなく、複数種類の設定プログラムを用意する必要があり、且つ上述のごとき操作手段によってその複数種類の中から使用する設定プログラムを選択しなければならない。また、特許文献１をはじめとする他の従来技術では、このような公共の宿泊施設に設置された場合の視聴環境を考慮して、表示輝度や音量の制限等の制御を実行することは不可能である。
【０００８】
本発明は、上述のごとき実情に鑑みてなされたものであり、複数種類の設定プログラムを用意しておきその中からユーザが選択する必要もなく、ホテル等の公共の宿泊施設に設置された場合の視聴環境を考慮して表示輝度や音量の制御を適宜行うことが可能な映像表示装置、及びその映像表示装置に実行可能に組み込むためのプログラムを提供することを、その目的とする。
【課題を解決するための手段】
【０００９】
上述の課題を解決するために、本発明の第１の技術手段は、映像を表示する映像表示手段と、音声を出力する音声出力手段とを備えた映像表示装置において、当該映像表示装置の設置場所の環境に関する環境情報を取得する環境情報取得手段と、該環境情報取得手段で取得した環境情報が示す環境に合わせ、前記音声出力手段における音量の制御を行う制御手段とを備えたことを特徴としたものである。
【００１０】
第２の技術手段は、第１の技術手段において、前記環境情報取得手段で取得する環境情報は、夜間であるか否かを示す情報であり、前記制御手段は、前記環境情報取得手段で取得した環境情報が夜間であることを示していた場合、前記音声出力手段における音量を下げる又は音量の最大値を下げる制御を行うことを特徴としたものである。
【００１１】
第３の技術手段は、第１又は第２の技術手段において、前記制御手段は、前記環境情報取得手段で取得した環境情報が示す環境に合わせ、前記映像表示手段における表示輝度の制御も併せて行うことを特徴としたものである。
【００１２】
第４の技術手段は、第３の技術手段において、前記環境情報取得手段で取得する環境情報は、夜間であるか否かを示す情報であり、前記制御手段は、前記環境情報取得手段で取得した環境情報が夜間であることを示していた場合、前記映像表示手段における表示輝度を下げる又は表示輝度の最大値を下げる制御を行うことを特徴としたものである。
【００１３】
第５の技術手段は、映像を表示する映像表示手段を備えた映像表示装置において、当該映像表示装置の設置場所の環境に関する環境情報を取得する環境情報取得手段と、該環境情報取得手段で取得した環境情報が示す環境に合わせ、前記映像表示手段における表示輝度の制御を行う制御手段とを備えたことを特徴としたものである。
【００１４】
第６の技術手段は、第５の技術手段において、前記環境情報取得手段で取得する環境情報は、夜間であるか否かを示す情報であり、前記制御手段は、前記環境情報取得手段で取得した環境情報が夜間であることを示していた場合、前記映像表示手段における表示輝度を下げる又は表示輝度の最大値を下げる制御を行うことを特徴としたものである。
【００１５】
第７の技術手段は、第１乃至第６のいずれかの技術手段において、前記環境情報取得手段は、外光の明るさを検出する明るさセンサを有することを特徴としたものである。
【００１６】
第８の技術手段は、第１乃至第７のいずれかの技術手段において、前記環境情報取得手段は、周囲の音を検出する音センサを有することを特徴としたものである。
【００１７】
第９の技術手段は、第１乃至第８のいずれかの技術手段において、前記環境情報取得手段は、時計を有することを特徴としたものである。
【００１８】
第１０の技術手段は、第１乃至第６のいずれかの技術手段において、前記環境情報取得手段は、ネットワークを介して当該映像表示装置に接続された外部機器から、当該映像表示装置の設置場所の代わりに前記外部機器の設置場所における環境情報を取得することを特徴としたものである。
【００１９】
第１１の技術手段は、第１０の技術手段において、前記環境情報は、前記外部機器が示す時刻情報を含むことを特徴としたものである。
【００２０】
第１２の技術手段は、第１０又は第１１の技術手段において、前記外部機器は、外光の明るさを検出する明るさセンサを有し、前記環境情報は、前記明るさセンサで検出された外光の明るさの情報を含むことを特徴としたものである。
【００２１】
第１３の技術手段は、第１０乃至第１２のいずれかの技術手段において、前記外部機器は、周囲の音を検出する音センサを有し、前記環境情報は、前記音センサで検出された周囲の音の情報を含むことを特徴としたものである。
【００２２】
第１４の技術手段は、第１０乃至第１３のいずれかの技術手段において、タイマを備え、前記制御手段は、前記環境情報取得手段で前記環境情報が取得できない場合、前記タイマでの計時の結果、制御が実行されてから２４時間経過する毎に同じ制御を実行する手段を有することを特徴としたものである。
【００２３】
第１５の技術手段は、第１０乃至第１４のいずれかの技術手段において、前記環境情報取得手段は、前記環境情報が取得できない場合、前記外部機器に対してネットワーク経由で再送要求又はエラー送信を行う手段を有することを特徴としたものである。
【００２４】
第１６の技術手段は、第１０乃至第１５のいずれかの技術手段において、前記制御手段で実行する制御の目標値を設定する目標値設定手段と、該目標値設定手段で設定する目標値をネットワーク経由で前記外部機器から取得する目標値取得手段とを備えたことを特徴としたものである。
【００２５】
第１７の技術手段は、第１６の技術手段において、前記目標値設定手段は、前記目標値取得手段で前記目標値の取得ができない場合、前記外部機器に対してネットワーク経由で再送要求又はエラー送信を行う手段を有することを特徴としたものである。
【００２６】
第１８の技術手段は、第１０乃至第１７のいずれかの技術手段において、前記制御手段での制御を実行させるか否かを設定する実行設定手段と、該実行設定手段での設定の内容を、ネットワーク経由で前記外部機器から取得する設定内容取得手段とを備えたことを特徴としたものである。
【００２７】
第１９の技術手段は、第１乃至第１５のいずれかの技術手段において、前記制御手段で実行する制御の目標値をユーザ操作に基づき設定する目標値設定手段を備えたことを特徴としたものである。
【００２８】
第２０の技術手段は、第１乃至第１５のいずれかの技術手段において、前記制御手段での制御を実行させるか否かをユーザ操作に基づき設定する実行設定手段を備えたことを特徴としたものである。
【００２９】
第２１の技術手段は、第１乃至第６のいずれかの技術手段において、デジタル放送を受信する放送受信手段を備え、前記環境情報取得手段は、前記放送受信手段で取得したデジタル放送に含まれる時刻情報を、前記環境情報として取得することを特徴としたものである。
【００３０】
第２２の技術手段は、第１乃至第２１のいずれかの技術手段における映像表示装置に組み込まれるプログラムであって、前記制御手段として、コンピュータを機能させることを特徴としたものである。
【発明の効果】
【００３１】
本発明によれば、複数種類の設定プログラムを用意しておきその中からユーザが選択する必要もなく、ホテル等の公共の宿泊施設に設置された場合の視聴環境を考慮して表示輝度や音量の制御を適宜行うことが可能となる。
【発明を実施するための最良の形態】
【００３２】
本発明に係る映像表示装置は、一般的なものと同様に、映像を表示する映像表示手段と、音声を出力する音声出力手段と、少なくとも映像表示手段及び音声出力手段を制御する制御手段（以下、主制御手段という）とを備える。ここで、音声出力手段を備えない形態も本発明では採用でき、そのような形態については、以下の説明において音声出力に係わる制御を除くことで説明を代用できるため省略する。以下、映像表示装置として放送受信回路を備えた液晶ＴＶを挙げて例示するが、例えば液晶ディスプレイ、ＰＤＰ（プラズマディスプレイ）、有機ＥＬ（ｅｌｅｃｔｒｏｌｕｍｉｎｅｓｃｅｎｃｅ）ディスプレイなどＰＣ等の表示モニタや、それらディスプレイを適用したＴＶ受像機であっても、同様に適用できる。
【００３３】
図１は、本発明の一実施形態に係るＴＶ受像機の回路構成例を示すブロック図で、図中、１は映像表示装置の一例としての液晶ＴＶ、１９は液晶ＴＶ１のシステム制御マイコンである。
【００３４】
液晶ＴＶ１は、ＴＶ放送信号受信アンテナ１０、放送受信回路１１、液晶表示パネル１２、表示タイミングコントローラ１３、映像信号処理回路１４、入出力信号切換回路１５、音声信号処理回路１６、液晶パネルバックライト１７（以下、バックライト１７という）、バックライト制御回路１８、操作パネル２０、リモコン信号受信回路２１、外光明るさセンサ２２、外部騒音センサ２３、内蔵スピーカ２４、及び、それらを制御するシステム制御マイクロコンピュータ（以下、システム制御マイコンという）１９を備える。
【００３５】
ＴＶ放送信号受信アンテナ１０はＴＶ放送信号を受信し、放送受信回路１１は受信したＴＶ放送信号に基づき映像信号及び音声信号を出力する。放送受信回路１１は、受信するチャンネルに整調を行うチューナ、復調を行うために受信信号をＩＦ（Ｉｎｔｅｒｍｅｄｉａｔｅ  Ｆｒｅｑｕｅｎｃｙ）信号の周波数まで引き下げるＩＦ回路、映像信号を復調する映像信号復調回路、及び、音声信号を復調する音声信号復調回路などで構成される。なお、ＴＶ放送信号受信アンテナ１０及び放送受信回路１１はデジタル／アナログのいずれのものであってもよい。
【００３６】
入出力信号切換回路１５は、放送受信回路１１、或いは映像信号入力端子及び図示しない音声信号入力端子のいずれかから入力される映像・音声信号を、映像信号処理回路１４及び音声信号処理回路１６、或いは映像信号出力端子及び図示しない音声信号出力端子、のいずれかへ出力する切り換えを行う。この切り換えは、操作パネル２０やリモコン操作の信号を受けたリモコン信号受信回路２１からの入力操作に基づき、システム制御マイコン１９からの制御により実行される。
【００３７】
映像信号処理回路１４は、システム制御マイコン１９からの制御により、入出力信号切換回路１５から入力された映像信号に対し、各種映像処理を施し、処理後の信号を表示タイミングコントローラ１３に渡す。表示タイミングコントローラ１３は、システムマイコン１９からの制御により、液晶表示パネル１２に対する表示制御を行う。液晶表示パネル１２は、その表示制御に基づき映像を表示する。
【００３８】
一方で、バックライト制御回路１８はバックライト１７の点灯を制御する。バックライト１７により発光された光は、液晶表示パネル１２を背面から照射し、これによりユーザが映像を視認できるようになる。ここで、上述した映像表示手段としては、液晶表示パネル１２、表示タイミングコントローラ１３、映像信号処理回路１４、バックライト１７、及びバックライト制御回路１８が該当する。
【００３９】
音声信号処理回路１６は、システム制御マイコン１９からのボリュームコントロール信号等による制御で、入出力信号切換回路１５から入力された音声信号に対し、各種音声処理を施し、処理後の信号を内蔵スピーカ２４（外付けのスピーカへの出力端子であってもよい）に渡す。音声信号処理回路１６には、入力された音声信号を増幅する内蔵アンプを設けても設けなくてもよいが、いずれの場合でもボリュームコントロールができる必要がある。ここで、上述した音声出力手段としては、音声信号処理回路１６及び内蔵スピーカ２４等が該当する。
【００４０】
操作パネル２０は、チャンネル切換、入力切換、モード切換、音量調整、バックライト１７の輝度調整等の各種設定など、様々なユーザ操作を受け付けるキーやボタンでなるパネルで、タッチパネルで構成してもよい。操作パネル２０で入力された操作の信号はシステム制御マイコン１９に伝送される。リモコン信号受信回路２１は、図示しないリモコンによる同様のユーザ操作の信号を受信し、システム制御マイコン１９に伝送する。
【００４１】
そして、本発明の特徴として、液晶ＴＶ１は、環境情報取得手段及び制御手段を備える。以下、この制御手段を環境対応制御手段と呼ぶ。環境情報取得手段は、液晶ＴＶ１の設置場所の環境に関する環境情報を取得する。環境対応制御手段は、環境情報取得手段で取得した環境情報が示す環境に合わせ、音声出力手段における音量の制御（環境対応制御）及び／又は映像表示手段における表示輝度の制御（環境対応制御）を行う。
【００４２】
環境情報取得手段は、図１の例では外光明るさセンサ２２、外部騒音センサ２３、図示しない時計、及びそれらを制御して明るさ情報や騒音情報を取得させるシステム制御マイコン１９で構成できる。なお、外光明るさセンサ２２、外部騒音センサ２３、及び時計は併設の必要性はないがより確実に周囲の環境を環境情報として取得するためにはそのうちいずれかを併設するとよい。
【００４３】
外光明るさセンサ２２は、部屋の内外でもよいが外光の明るさを検出する光センサであり、元々バックライト１７の調光のために使っているものを使用しても、別途設けてもよい。外部騒音センサ２３は、周囲の騒音を検出する、集音マイクや騒音計等の音圧センサでよく、液晶ＴＶ１の近辺に設置されている場合にはスピーカ２４から発せられる音声をノイズとしてノイズキャンセルを施せばよい。また、外部騒音センサ２３は、騒音を検出するセンサに限らず、周囲の音を検出するセンサであればよい。すなわち、音センサは、例えばホテル館内（廊下や室内）に流れているＢＧＭ等、周囲の音楽を検出できるようにしておいてもよい。このようなＢＧＭは決まった時刻或いは季節によって決まった時刻に流れるようにしているため、周囲の環境を確実に環境情報として取得することができる。なお、液晶ＴＶ等の映像表示装置に時計は通常組み込まれるものではないが、本発明の環境対応制御のために組み込めばよい。
【００４４】
また、環境対応制御手段は、例えばシステム制御マイコン１９内のＲＯＭに環境対応制御用のプログラムを実行可能に格納しておき、システム制御マイコン１９内のＣＰＵが同じくＲＡＭにそのプログラムを読み出して実行することで実現できる。
【００４５】
また、環境情報取得手段で取得する環境情報は、夜間（深夜がより好ましい）であるか否かを示す情報としておくこと（そのようなセンサの閾値を設定などにより）が好ましい。そして、環境対応制御手段は、環境情報取得手段で取得した環境情報が夜間であることを示していた場合、音声出力手段に対しては音量を下げる又は音量の最大値を下げる制御を行い、映像表示手段に対しては表示輝度を下げる又は表示輝度の最大値を下げる制御を行う。なお、音量や表示輝度に上限を設けることで、子供のいたずら防止にもなる。
【００４６】
音量を下げる制御を行うには、システム制御マイコン１９が音声信号処理回路１６に対してボリュームコントロール信号を出してスピーカ２４から出力される音量を目標値まで又は目標値分だけ減らす制御を実行させるとよい。また、音量の最大値を下げる制御を行うには、システム制御マイコン１９が内部や音声信号処理回路１６内に格納してある音量の最大値の値を、例えば音量メモリ６０から５０に書き換えるなどの制御を実行させるとよい。このとき、併せて操作パネル２０やリモコン等のユーザ操作がその最大値までしかできないよう、ＯＳＤ表示メニューに含まれる音量の設定メニューの最大値も変更しておくとよい。
【００４７】
液晶ＴＶ１の場合、表示輝度を下げる制御を行うには、システム制御マイコン１９がバックライト制御回路１８に対してバックライト１７の輝度を目標値まで又は目標値分だけ減らす或いは無くすといった調光の制御を実行させるとよい。また、液晶ＴＶ１の場合、表示輝度の最大値を下げる制御を行うには、システム制御マイコン１９が内部やバックライト制御回路１８内に格納してある表示輝度の調整テーブルを入れ替えるか表示輝度の最大値を書き換えるなどの制御を実行させるとよい。このとき、併せて操作パネル２０やリモコン等のユーザ操作がその最大値までしかできないよう、ＯＳＤ表示メニューに含まれる表示輝度の設定メニューの最大値も変更しておくとよい。なお、液晶を採用しない構成においても、表示輝度が下がる又はその最大値を下げる制御が可能であればよい。以下、表示輝度に関しては、バックライト１７の制御により表示輝度又はその最大値を下げる例で説明する。
【００４８】
元々ホテルなどに液晶ＴＶ１を設置する場合は、市販モデルに比較して最大音量の設定を低めにするが、さらに、部屋の窓の外、廊下、ロビーなど室内外の明るさや音のセンサを設けることによって環境状況を検出することにより、更なる最大音量の抑制や最大輝度の抑制を行って、消費電力の低減や良好な滞在環境を実現する。例えば、２０インチの液晶ＴＶでバックライトを最大にした場合、消費電力は６５Ｗａｔｔ程度である。ここで、バックライト輝度を５０〜６０％にした場合、４０〜４５Ｗａｔｔにまで下げられる。液晶ＴＶの性質上、バックライト１７の明るさを下げることは、製品の使用時の消費電力を下げることに大きく貢献するものである。また、表示輝度の抑制により、結果的にバックライト１７のランプの寿命向上にも結びつく。その時、必要十分な下げ幅や最大値になるよう設定することで使い勝手は悪くなることもない。このように、本発明では、省エネ及び長寿命化が実現できるだけでなく、必要十分な操作性をもっているので使い勝手の向上も実現でき、さらには視聴者以外の周りの人への影響を鑑みて処理するため他人の部屋（睡眠）環境の改善も可能となる。
【００４９】
また、液晶ＴＶ１は、環境対応制御手段で実行する環境対応制御の目標値（上述した下げ幅や最大値）をユーザ操作に基づき設定する目標値設定手段を備えることが好ましい。但し、この目標値は一度設定すれば季節が変わろうと再設定し直す必要はなく、ホテルなどであれば液晶ＴＶ１の納品者やサービスマンが設定すればよい。
【００５０】
また、液晶ＴＶ１は、環境対応制御手段での環境対応制御を実行させるか否かをユーザ操作に基づき設定する実行設定手段を備えることが好ましい。この実行設定手段は、通常モード／ホテルモードの切換設定に該当する。例えば、この設定によってホテルモードにすることで、音量の上限値を６０（通常モード時）から５０（ホテルモード時）で設定することができる。この設定も液晶ＴＶ１を設置して一度行えば季節が変わろうと再設定し直す必要はなく、ホテルなどであれば液晶ＴＶ１の納品者やサービスマンが設定すればよい。
【００５１】
上述した目標値設定手段や実行設定手段におけるユーザ設定も、操作パネル２０やリモコン及びリモコン信号受信回路２１から、操作信号がシステム制御マイコン１９に入力されることにより実行するとよい。そして、システム制御マイコン１９は、入力された操作信号が示す目標値や環境対応制御の実行／不実行を、内部の書き換え可能ＲＯＭなどに格納し、必要に応じて格納したデータを読み出すようにするとよい。このように目標設定手段や実行設定手段は、ユーザ入力する操作部とシステム制御マイコン１９内に格納された設定プログラムとによって実現できる。
【００５２】
このように、液晶ＴＶ１にホテルモードを備えておき、設置規模に応じたモード（上述の目標値設定手段の目標値）を予め選択設定するなどして用意することにより、設置時におけるサービスマンの負担を軽減すると共に、使用時における低消費電力化や使用環境の改善を図る。また、小規模のホテルや個人ユースにおける単体設置時においても低消費電力化を図ることができる。特に、ホテル専用に液晶ＴＶ１を製品化することはコスト面で問題があるので、本発明は、一般ユーザ向けの液晶ＴＶの中にこのような環境対応制御を例えばファームウェアなどとして組み込むことができるのでメリットは大きい。なお、ホテル向けだけではなく一般ユーザ向けの液晶ＴＶにもファームウェアを組み込んでおいても、目標値さえ通常と同じにしておくか、ホテルモードにしなければよい。
【００５３】
以上、本発明によれば、特許文献２のように複数種類の設定プログラムを用意しておきその中からユーザが選択する必要もなく、ホテル等の公共の宿泊施設に設置された場合の視聴環境を考慮して表示輝度や音量の制御を適宜行うことが可能となる。すなわち、本発明によれば、必要以上の大音量・高輝度で出力することもなく、また、隣部屋などとの視聴環境の改善、消費電力の低減が可能となる。
【００５４】
図２は、図１のＴＶ受像機における音量及び表示輝度の環境対応制御の一例を説明するためのフロー図である。液晶ＴＶ１は、上述のごとき構成により音量及び表示輝度の環境対応制御を、例えば以下の手順で実行する。
【００５５】
まず、システム制御マイコン１９がホテルモードか否かを実行制御手段の設定を読み出すなどして判定し（ステップＳ１）、ホテルモードである場合のみステップＳ２以降の手順を実行し、ホテルモードでないときにはノーマルモードへ移行する。ステップＳ２では、システム制御マイコン１９がセンサに命令し、環境情報を取得させる。次に、システム制御マイコン１９は、その環境情報が深夜時間を示しているか否かを判定し（ステップＳ３）、示していれば音量の最大値を目標値だけ下げ（ステップＳ４）、バックライト１７の輝度をその目標値だけ下げるようバックライト制御回路１８を制御する（ステップＳ５）。ステップＳ４，Ｓ５の順序は問わず、音量及び表示輝度に対してそのものを下げるか最大値を下げるかはいずれでもよい。ステップＳ３でＮＯのときはステップＳ２に戻り、深夜時間の到来を待つ。
【００５６】
ステップＳ５に続き、システム制御マイコン１９は、ステップＳ２と同様に環境情報の取得をセンサ等を用いて行い（ステップＳ６）、その環境情報が深夜時間ではない通常時間を示しているか否かを判定し（ステップＳ７）、通常時間であれば（夜があければ）、下げた分の音量の最大値を元に戻し（ステップＳ８）、バックライト１７の輝度も元に戻すようバックライト制御回路１８を制御する（ステップＳ９）。ステップＳ８，Ｓ９の順序は問わず、音量及び表示輝度に対してステップＳ４，Ｓ５でなされた環境対応制御を元に戻せばよい。ステップＳ７でＮＯのときはステップＳ６に戻り、通常時間の到来を待つ。
【００５７】
図１及び図２を参照して説明した実施形態は、液晶ＴＶ１に接続された外光明るさセンサ２２や外部騒音センサ２３や内部時計などによって環境情報を取得したが、環境情報の取得方法としては、外部機器からネットワークを介して行うものを採用することが、ホテルなどの複数台をＰＣやサーバ装置などから集中管理できるので好ましい。このような実施形態を図３及び図４を参照して説明するが、その環境対応制御の手順は、環境情報や目標値や実行／不実行の設定の方法以外は図２で例示したものと同様である。
【００５８】
図３は、本発明の他の実施形態に係るＴＶ受像機を備えたシステムの構成例を示す図、図４は、図３のＴＶ受像機の回路構成例を示すブロック図である。図３及び図４において、１は液晶ＴＶ、２はネットワーク、３はサーバ装置、２５は通信回路、２６は電源通信回路であり、その他、図１と同等の構成要素には同じ符号を付し、その説明を省略する。
【００５９】
本実施形態における環境情報取得手段は、ネットワーク２を介して液晶ＴＶ１に接続された外部機器（サーバ装置３で例示）から、液晶ＴＶ１の設置場所の代わりにサーバ装置３の設置場所における環境情報を取得する。外光の明るさの情報であればサーバ装置３に設けた（或いは接続して設けた）外光明るさセンサで検出された情報を、周囲の音の情報であればサーバ装置３に設けた（或いは接続して設けた）音センサで検出された情報を、時刻情報であればサーバ装置３が示す時刻情報を、それぞれ図１及び図２で説明したように取得すればよい。但し、ここでの取得はネットワーク２経由となる。
【００６０】
ここで、取得とは、液晶ＴＶ１側からサーバ装置３へ取得要求を行う形態だけでなく、サーバ装置３から送信されてきたものを受信する形態も含むものとする。サーバ装置３はネットワーク２に接続さえされていれば、複数台の液晶ＴＶ１に対し同様の処理を実行できるので効率的であり、設定を行うサービスマンにとっても手間が省ける。
【００６１】
このような環境情報取得手段の例として、ＬＡＮ（Ｌｏｃａｌ  Ａｒｅａ  Ｎｅｔｗｏｒｋ）用のネットワークボード等の通信回路２５を備えてもよいし、ＡＣ電源から電源ライン経由で電源ライン重畳型のデータを取得する電源通信回路２６を備えてもよい。電源通信回路２６は、既存の電力線搬送技術を用いて電源ライン重畳型のデータを取得できる構成であればよく、例えば商用電源から液晶ＴＶ１の電源コードを介して入力される信号に対し、通信信号だけを抜き出すハイパスフィルタを備えておけばよい。
【００６２】
また、通信回路２５及び電源通信回路２６は双方設けてもよいし、一方だけでもよい。さらに、通信回路２５としては、ＬＡＮボード等のＬＡＮ接続を目的としたものだけでなく、ＲＳ−２３２Ｃ（Ｒｅｃｏｍｍｅｎｄｅｄ  Ｓｔａｎｄａｒｄ  ２３２  ｖｅｒｓｉｏｎ  Ｃ）規格の通信回路を適用してもよい。ＲＳ−２３２Ｃ端子は、液晶ＴＶ１の出荷時の設定などに用いるために設けられていることがあり、それを利用してもよい。
【００６３】
なお、ＲＳ−２３２Ｃは、シリアル通信の規格の一つであり、ケーブルの最大長は約１５ｍで、最高通信速度は１１５．２ｋｂｐｓである。最大長はブースタ等を接続することにより延長ができ、また、シリアル接続なので一対の機器間を最大長でシリアル接続していけば、複数の機器間の接続も可能である。従って、小規模や中規模のホテルなどに適用できる他、サービスマンの目標値の設定用にも利用できる。ホテルの規模にも様々なものがあり、小規模なものは図１及び図２で説明したようなスタンドアロンタイプの液晶ＴＶ１とすればよいが、中規模以上のものについては、ＬＡＮ、ＲＳ−２３２Ｃ、電力線搬送モード等により一括コントロールするとよい。
【００６４】
また、液晶ＴＶ１をこのようなネットワークタイプとして設置した場合でも稀にネットワーク２に障害が出ることも考えられる。従って、その場合でもスタンドアロンタイプとしては動作するように、図１のごとき構成要素を組み込んでおいて通信障害の検出と共にそちらに切り換えるか、ネットワーク２を介してのセンタ端末（サーバ装置３）へのエラー返信、リトライ等を行うようにしていてもよい。
【００６５】
通信障害対応として、液晶ＴＶ１にタイマを備えておき、それを利用してもよい。実際、テレビには通常オン／オフタイマ用のランタイムカウンタなどのタイマと呼べるような部品が組み込まれており、それを利用するとよい。そして、環境対応制御手段は、環境情報取得手段で環境情報が取得できない場合、タイマでの計時の結果、制御が実行されてから２４時間経過する毎に同じ制御を実行する手段を有するものとする。これにより、通信障害があっても環境情報に基づく環境対応制御は可能である。なお、通信障害は基本的に長くても数日〜数週間で修理などによって回復するので、そのような期間は季節による環境情報の変化は無視できる程度であり、問題ない。また、上述したように、環境情報取得手段は、環境情報が取得できない場合、サーバ装置３に対してネットワーク２経由で再送要求又はエラー送信を行う手段を有するようにしてもよい。
【００６６】
また、液晶ＴＶ１は、環境対応制御手段で実行する制御の目標値（上述した下げ幅や最大値）を設定する目標値設定手段と、目標値設定手段で設定する目標値をネットワーク２経由でサーバ装置３から取得する目標値取得手段とを備えることが好ましい。但し、この目標値は一度設定すれば季節が変わろうと再設定し直す必要はない。また、通信障害が生じ目標値取得手段で目標値の取得ができない場合に対応するため、目標値設定手段がサーバ装置３に対してネットワーク２経由で再送要求又はエラー送信を行う手段などを有するとよい。また、この目標値設定手段は、ネットワーク２経由で設定を行わない形態において説明したように、環境対応制御手段で実行する制御の目標値をユーザ操作に基づき設定するようにしてもよい。
【００６７】
また、液晶ＴＶ１は環境対応制御手段での制御を実行させるか否かを設定する実行設定手段と、実行設定手段での設定の内容を、ネットワーク２経由でサーバ装置３から取得する設定内容取得手段とを備えることが好ましい。この実行設定手段は、サーバ装置３からのネットワーク２経由での通常モード／ホテルモードの切換設定に該当する。例えば、この設定によってホテルモードにすることで、音量の上限値を６０（通常モード時）から５０（ホテルモード時）で設定することができる。この設定も液晶ＴＶ１を設置して一度行えば季節が変わろうと再設定し直す必要はない。また、通信障害が生じ設定内容取得手段で設定内容の取得ができない場合に対応するため、実行設定手段がサーバ装置３に対してネットワーク２経由で再送要求又はエラー送信を行う手段などを有するとよい。また、この実行設定手段は、ネットワーク２経由で設定を行わない形態において説明したように、環境対応制御手段での制御を実行させるか否かをユーザ操作に基づき設定するようにしてもよい。
【００６８】
上述した目標値設定手段及び目標値取得手段や実行設定手段及び設定内容取得手段における情報の取得及び設定は、サーバ装置３からの操作信号が通信回路２５や電源通信回路２６を介してシステム制御マイコン１９に入力されることにより実行するとよい。そして、システム制御マイコン１９は、入力された操作信号が示す目標値や環境対応制御の実行／不実行を、内部の書き換え可能ＲＯＭなどに格納し、必要に応じて格納したデータを読み出すようにするとよい。このように目標値設定手段及び目標値取得手段や実行設定手段及び設定内容取得手段は、サーバ装置３からのネットワーク２を介した通信を受け取る通信回路２５や電源通信回路２６とシステム制御マイコン１９内に格納された設定プログラムとによって実現できる。
【００６９】
図５は、本発明の他の実施形態に係るＴＶ受像機の回路構成例を示すブロック図で、図中、１０ａはデジタルＴＶ放送信号受信アンテナ、１０ｂはアナログＴＶ放送信号受信アンテナ、１１ａはデジタル放送受信回路、１１ｂはアナログ放送受信回路であり、その他、図１と同等の構成要素には同じ符号を付し、その説明を省略する。
【００７０】
本発明の音量や表示輝度の環境対応制御は、上述のごときセンサが具備されていなくても、ネットワーク接続されていなくても、外部から環境情報を取得することで実現できる。その方法として、デジタル放送を受信する放送受信手段を備えておき、環境情報取得手段がデジタル放送に含まれている時刻情報を環境情報として取得すればよい。
【００７１】
デジタル放送受信回路１１ａは、デジタルＴＶ放送信号受信アンテナ１０ａからデジタル放送信号を受信し、映像・音声信号を入出力信号切換回路１５へ出力する。それと同時に、デジタル放送受信回路１１ａは、デジタル放送信号に含まれる時刻データをシステム制御マイコン１９に送る。これによりシステム制御マイコン１９は環境情報として時刻情報を取得することが可能となる。そして、受信した時刻データを基に、時刻により最大輝度や最大音量を制限したり、時刻により輝度や音量を変化させたりするとよく、この制御については上述した通りである。
【００７２】
以上、図１乃至図５を参照しながら、本発明の映像表示装置について各実施形態を挙げて説明してきたが、本発明は、上述した各実施形態における液晶ＴＶ１等の映像表示装置に組み込み、映像表示装置のコンピュータ（システム制御マイコン１９等）を、上述した環境対応制御手段（並びに目標値設定手段、実行設定手段、目標値取得手段などハードウェアだけで構成しない各手段）として機能させるためのプログラムとしての形態も採用できる。このプログラムは、システム制御マイコン１９内のＲＯＭ（或いは書き換え可能ＲＯＭ）に格納され、同じく内部のＣＰＵによって内部のＲＡＭに読み出されて実行される。
【００７３】
また、本発明は、このプログラムを記録したコンピュータで読み取り可能な記録媒体としての形態も採用してもよい。ここでの記録媒体としては、具体的には、各種のＣＤ，ＭＯ（光磁気ディスク），ＤＶＤ，ＦＤ，フラッシュメモリや、その他各種ＲＯＭやＲＡＭ等が想定でき、上述したプログラムを、これら記録媒体に記録して流通させることにより、当機能の実現を容易にする。そして、映像表示装置に接続されたＰＣなどに、上述のごとくの記録媒体を装着してそのプログラムを読み出すか、若しくは映像表示装置が備えている記録媒体（システム制御マイコン１９内のＲＯＭ等）にそのプログラムを記憶させておき、必要に応じてこれを読み出すことにより、本発明に係わる機能を実行することができる。
【図面の簡単な説明】
【００７４】
【図１】本発明の一実施形態に係るＴＶ受像機の回路構成例を示すブロック図である。
【図２】図１のＴＶ受像機における音量及び表示輝度の環境対応制御の一例を説明するためのフロー図である。
【図３】本発明の他の実施形態に係るＴＶ受像機を備えたシステムの構成例を示す図である。
【図４】図３のＴＶ受像機の回路構成例を示すブロック図である。
【図５】本発明の他の実施形態に係るＴＶ受像機の回路構成例を示すブロック図である。
【符号の説明】
【００７５】
１…液晶ＴＶ、２…ネットワーク、３…サーバ装置、１０…ＴＶ放送信号受信アンテナ、１０ａ…デジタルＴＶ放送信号受信アンテナ、１０ｂ…アナログＴＶ放送信号受信アンテナ、１１…放送受信回路、１１ａ…デジタル放送受信回路、１１ｂ…アナログ放送受信回路、１２…液晶表示パネル、１３…表示タイミングコントローラ、１４…映像信号処理回路、１５…入出力信号切換回路、１６…音声信号処理回路、１７…液晶パネルバックライト、１８…バックライト制御回路、１９…システム制御マイコン、２０…操作パネル、２１…リモコン信号受信回路、２２…外光明るさセンサ、２３…外部騒音センサ、２４…内蔵スピーカ、２５…通信回路、２６…電源通信回路。
【図１】
2007159046.tif 000003
【図２】
2007159046.tif 000004
【図３】
2007159046.tif 000005
【図４】
2007159046.tif 000006
【図５】
2007159046.tif 000007